(57)【要約】      （修正有）【課題】新規なカメラ機能を有する通信端末機器を提供することで、通信端末機器の利用範囲を広げることにある。【解決手段】この通信端末機器１において、第１及び第２筐体３，５はそれぞれカメラ部１７，２７を有する。距離測定手段は、２つのカメラ部１７，２７により撮影される被写体１０までの間の距離を下式に従って算出可能である。第１表示パネル１１は、距離測定手段による測定結果を表示可能である。［数１］  Ｄ＝（ｄ・ｔａｎθ１・ｔａｎθ２）／（ｔａｎθ１＋ｔａｎθ２）  （但し、Ｄ：通信端末機器１と被写体１０との距離、ｄ：第１カメラ部１７と第２カメラ部２７との距離、θ１：第１カメラ部１７と第２カメラ部２７とを結ぶ直線と第１カメラ部１７と被写体１０とを結ぶ直線とがなす角度、θ２：第１カメラ部１７と第２カメラ部２７とを結ぶ直線と第２カメラ部２７と被写体１０とを結ぶ直線とがなす角度）【選択図】図４
2005260884.tif 000002
【特許請求の範囲】
【請求項１】
第１カメラ部を有する第１筐体と、
少なくとも第１使用姿勢を採るよう前記第１筐体に対し可動に連結されるとともに、前記第１使用姿勢において前記第１カメラ部と同じ側に配置される第２カメラ部を有する第２筐体と、
前記第１及び第２カメラ部により撮影される被写体までの間の距離を下式に従って算出可能な距離測定手段と、
前記距離測定手段による測定結果を表示可能な表示部と、
を備えた通信端末機器。
［数１］
Ｄ＝（ｄ・ｔａｎθ１・ｔａｎθ２）／（ｔａｎθ１＋ｔａｎθ２）
（但し、Ｄ：通信端末機器と被写体との距離、ｄ：第１カメラ部と第２カメラ部との距離、θ１：第１カメラ部と第２カメラ部とを結ぶ直線と第１カメラ部と被写体とを結ぶ直線とがなす角度、θ２：第１カメラ部と第２カメラ部とを結ぶ直線と第２カメラ部と被写体とを結ぶ直線とがなす角度）
【請求項２】
外部との通信のための通信制御部をさらに備え、
前記第２筐体は、前記第１使用姿勢と異なる第２使用姿勢をさらに採るよう前記第１筐体に対し可動であり、
前記第２使用姿勢において前記通信制御部による動作制御が行われる、
請求項１に記載の通信端末機器。
【請求項３】
前記第１及び第２筐体は、折り畳み可能に回動自在に連結されるとともに、第１角度だけ開いた状態で前記第１使用姿勢となり、前記第２角度だけ開いたときに前記第２使用姿勢となる、請求項２に記載の通信端末機器。
【請求項４】
前記距離測定手段により測定された距離に応じて焦点を設定する焦点設定手段をさらに備え、
前記表示部は、外部からの入力操作を受け付けて前記焦点設定手段に対し焦点の設定を指示するための指示ボタンを表示可能である、
請求項１から３のいずれか１項に記載の通信端末機器。
【請求項５】
一方のカメラ部はオートフォーカス機能による撮影が可能であり、
前記距離測定手段は、前記一方のカメラ部により撮影される前記被写体までの距離をさらに測定可能であるとともに、２つの前記カメラ部により撮影される前記被写体までの距離と前記一方のカメラ部により撮影される前記被写体までの距離との平均値を算出可能である、
請求項１から４のいずれか１項に記載の通信端末機器。
【発明の詳細な説明】
【技術分野】
【０００１】
本発明は、通信端末機器に関する。
【背景技術】
【０００２】
携帯電話機等の通信端末機器において、２つの筐体が開閉自在に連結された折り畳み式のものが知られている。折り畳み式の携帯電話機では、一般に、一方の筐体に表示パネルが設けられ、他方の筐体に操作ボタンが設けられるとともに、２つの筐体が所定の角度をなすよう開いた使用姿勢と、これらが閉じた待機姿勢とを採り得るよう構成されている（例えば、特許文献１参照）。
【０００３】
そして、従来の携帯電話機では、電話機能やメール機能に加え、カメラ機能を有するものが知られている。カメラ機能を有する携帯電話機は、通常、一方の筐体の背面側に、レンズ及び撮像素子等で構成されるカメラ部が設けられており、これによって撮影された画像が内面側の表示部に表示されるようになっている。
【特許文献１】特開２００３−３３３１３９号公報
【発明の開示】
【発明が解決しようとする課題】
【０００４】
従来のカメラ機能付き携帯電話機では、カメラ部で撮影した画像の画質を向上させる技術などは提案されているものの、カメラ部本体を用いた機能についての技術はあまり進歩していない。
【０００５】
本発明の課題は、新規なカメラ機能を有する通信端末機器を提供することで、通信端末機器の利用範囲を広げることにある。
【課題を解決するための手段】
【０００６】
請求項１に係る通信端末機器は、第１筐体と、第２筐体と、距離測定手段と、表示部とを備えている。第１筐体は、第１カメラ部を有する。第２筐体は、少なくとも第１使用姿勢を採るよう第１筐体に対し可動に連結されるとともに、第１使用姿勢において第１カメラ部と同じ側に配置される第２カメラ部を有する。距離測定手段は、第１及び第２カメラ部により撮影される被写体までの間の距離を下式に従って算出可能である。表示部は、距離測定手段による測定結果を表示可能である。
［数１］
Ｄ＝（ｄ・ｔａｎθ１・ｔａｎθ２）／（ｔａｎθ１＋ｔａｎθ２）
（但し、Ｄ：通信端末機器と被写体との距離、ｄ：第１カメラ部と第２カメラ部との距離、θ１：第１カメラ部と第２カメラ部とを結ぶ直線と第１カメラ部と被写体とを結ぶ直線とがなす角度、θ２：第１カメラ部と第２カメラ部とを結ぶ直線と第２カメラ部と被写体とを結ぶ直線とがなす角度）
この機器では、２つの筐体それぞれにカメラ部が設けられていることから、第１使用姿勢においてカメラ撮影を行うことにより、上記式に従って被写体までの距離を算出することが可能となる。したがって、ここでは、簡単な計算により被写体までの距離を算出することができ、従来のように例えば１つのカメラ部のオートフォーカス機能により距離を測定するのとは異なった方法により被写体までの距離を求めることができる。そして、測定結果は表示部に表示されるので、ユーザは、被写体までの距離を容易に知ることができる。
【０００７】
なお、本発明において、第１使用姿勢とは、２つのカメラ部が被写体に対して同じ側に配置されることとなる姿勢をいう。また、表示部は、少なくとも一方の筐体に設けられていれば良く、両方の筐体に設けられても良い。
【０００８】
請求項２に係る通信端末機器は、請求項１の機器において、外部との通信のための通信制御部をさらに備えている。第２筐体は、第１使用姿勢と異なる第２使用姿勢をさらに採るよう第１筐体に対し可動である。そして、第２使用姿勢において通信制御部による動作制御が行われる。
【０００９】
この機器では、２つの筐体が採る姿勢ごとに距離測定又は通信といった異なる制御が行われるため、ユーザは、機器の使用姿勢を変えることで、容易に制御状態を切り替えることができ、使い勝手が良くなる。
【００１０】
請求項３に係る通信端末機器では、請求項２の機器において、第１及び第２筐体は、折り畳み可能に回動自在に連結されるとともに、第１角度だけ開いた状態で第１使用姿勢となり、第２角度だけ開いたときに第２使用姿勢となる。
【００１１】
この機器では、具体的に、折り畳み式の機器において、２つの筐体の開閉角度を変え異なる姿勢を採らせることで、制御状態を切り替えられるようにしている。
【００１２】
請求項４に係る通信端末機器は、請求項１から３のいずれか１項に記載の機器において、距離測定手段により測定された距離に応じて焦点を設定する焦点設定手段をさらに備えている。そして、表示部は、外部からの入力操作を受け付けて焦点設定手段に対し焦点の設定を指示するための指示ボタンを表示可能である。
【００１３】
この機器では、測定された被写体までの距離に応じて焦点が設定されるが、ここでは、表示部に表示された指示ボタンに対して入力操作することで焦点の設定を指示することができるようになっている。
【００１４】
請求項５に係る通信端末機器は、請求項１から４のいずれか１項の機器において、一方のカメラ部はオートフォーカス機能による撮影が可能である。そして、距離測定手段は、一方のカメラ部により撮影される被写体までの距離をさらに測定可能であるとともに、２つのカメラ部により撮影される被写体までの距離と一方のカメラ部により撮影される被写体までの距離との平均値を算出可能である。
【００１５】
この機器では、２通りに求めた距離の平均値を算出することができるので、被写体までの距離についてより信頼性のある情報を得ることができる。
【発明の効果】
【００１６】
本発明によれば、２つの筐体それぞれにカメラ部が設けられていることから、第１使用姿勢においてカメラ撮影を行うことにより、上記式に従って被写体までの距離を算出することが可能となる。したがって、ここでは、簡単な計算により被写体までの距離を算出することができ、従来のように例えば１つのカメラ部のオートフォーカス機能により距離を測定するのとは異なった方法により被写体までの距離を求めることができる。そして、測定結果は表示部に表示されるので、ユーザは、被写体までの距離を容易に知ることができる。
【発明を実施するための最良の形態】
【００１７】
［携帯電話機の構成］
図１〜図３に、本発明の一実施形態が採用された携帯電話機１を示す。
【００１８】
この携帯電話機１は、使用姿勢と待機姿勢との間で開閉可能な折り畳み式のものであって、第１筐体３と、第２筐体５とを備えている。
【００１９】
＜第１筐体＞
第１筐体３は、薄型の直方体形状のものであり、内面側に設けられた第１表示パネル１１及びスピーカ部１３と、第２筐体５側の端部に設けられた接続部１５と、背面側に設けられた第１カメラ部１７と、側部及び端部にそれぞれ設けられたジョグダイヤル１９，２０とを有する。
【００２０】
第１表示パネル１１は、液晶ディスプレイで構成され、制御部７（後述）により所定の表示内容が表示される。スピーカ部１３は、通話中の相手側からの電気信号を音声情報に変換して発生するものである。接続部１５は、第２筐体５に装着される部分である。第１カメラ部１７は、図示しないレンズ及び撮像素子等で構成され、外部から取り込んだ画像情報を制御部７を介して表示パネル１１，２１に表示させることができる。また、第１カメラ部１７は、オートフォーカス機能を有している。ジョグダイヤル１９，２０は、後述する距離測定モードにおいて、第１表示パネル１１に表示される後述のポインタ３３（図５参照）を上下及び左右方向に動かすためのものである。
【００２１】
＜第２筐体＞
第２筐体５は、薄型の直方体形状のものであり、内面側に設けられた第２表示パネル２１及びマイク部２３と、第１筐体３側の端部に設けられた接続部２５と、背面側に設けられた第２カメラ部２７と、側部に設けられた操作ボタン２８（図５参照）と、側部及び端部にそれぞれ設けられたジョグダイヤル２９，３０（図５参照）とを有している。
【００２２】
第２表示パネル２１は、タッチパネル式の液晶ディスプレイで構成されており、制御部７により所定の表示内容が表示される。マイク部２３は、ユーザの声等の音声情報を相手側に送る電気信号に変換するものである。
【００２３】
接続部２５は、第１筐体３の接続部１５と共に、第１筐体３と第２筐体５とを回動自在にするヒンジを構成し、第１及び第２筐体３，５の内面同士が対向するよう閉じた待機姿勢と、第１及び第２筐体３，５が開いた使用姿勢（図２及び図３参照）とを採り得る。使用姿勢には、図２に示す第１使用姿勢と、図３に示す第２使用姿勢とが含まれる。第１筐体３及び第２筐体５は、第２使用姿勢では１６５°の角度をなして開き、第１使用姿勢では１８０°の角度をなして開くようになっている。また、２つの接続部１５，２５の間には、第１及び第２筐体３，５の相対角度を検知するためのセンサ２６が配置されている。
【００２４】
第２カメラ部２７は、第１カメラ部１７と同様のものである。操作ボタン２８は、距離測定モードにおいて、制御部７による距離測定を指示するためのものである。ジョグダイヤル２９，３０は、距離測定モードにおいて、第２表示パネル２１に表示される後述のポインタ３５（図５参照）上下及び左右方向に動かすためのものである。
【００２５】
＜制御部＞
これら２つの筐体３，５の内部には、制御部７が配置されている。
【００２６】
制御部７は、ＣＰＵ及びメモリを含むマイクロコンピュータで構成され、センサ２６によって検知された角度に応じていずれの使用姿勢にあるかを判断し、第２使用姿勢では通常モードによる制御を行い、第１使用姿勢では距離測定モードによる制御を行う。メモリには、各モードで実行される制御プログラムが格納されている。通常モードでの制御プログラムには、他の携帯電話機等との間での通信に関するプログラムが含まれる。距離測定モードでの制御プログラムには、被写体までの距離の測定や焦点の設定に関するプログラムが含まれる。
【００２７】
また、メモリには、距離測定モードにおいて各表示パネル１１，２１に表示されるポインタ３３，３５の画面上の位置と、被写体１０に対する角度θ１，θ２とが対応づけられたデータが格納されており、ポインタ３３，３５が画面上で位置決めされた位置によって角度θ１，θ２を把握できるようになっている。さらに、メモリには、第１使用姿勢における第１カメラ部１７との距離ｄがデータとして記憶されているほか、過去に測定した被写体１０までの距離等に関するデータを保持することができる。
【００２８】
通常モードでは、通話、メールの送受信ができるほか、従来と同様のカメラモードによる撮影を行うことができる。また、通常モードでは、第１表示パネル１１には時計表示等を含む待受画面や通常のカメラモードでの撮影映像が表示されるとともに、第２表示パネル２１には操作画面２２が表示されるようになっている。操作画面２２には、ユーザの入力操作を受け付けるテンキー等の種々のボタンが表示され、従来の携帯電話機の操作ボタンと同様の操作を行えるようになっている。また、第１及び第２カメラ部１７，２７のオートフォーカス機能により、各カメラ部１７，２７によって撮影された画像のみに基づいて公知の方法に従って距離を測定することもできる。そして、そのようにして測定された距離と、距離測定モードで求められた同じ被写体１０までの距離との平均値を算出することができる。
【００２９】
一方、距離測定モードでは、カメラ部１７によって撮影された画像は、第１及び第２表示パネル１１，２１にそれぞれ表示されるとともに、各パネル１１，２１にポインタ３３，３５が表示され、各筐体３，５のジョグダイヤル１９，２０又は２９，３０によってポインタ３３，３５を任意の位置に移動可能になっている。そして、操作ボタン２８が押されると、ポインタ３３，３５の画面上の位置から角度θ１，θ２が確定され、下式に従って被写体１０までの距離が算出される。かかる距離測定の概念図を図４に示す。
［数２］
Ｄ＝（ｄ・ｔａｎθ１・ｔａｎθ２）／（ｔａｎθ１＋ｔａｎθ２）
（但し、Ｄ：携帯電話機１と被写体１０との距離、ｄ：第１カメラ部１７と第２カメラ部２７との距離、θ１：第１カメラ部１７と第２カメラ部２７とを結ぶ直線と第１カメラ部１７と被写体１０とを結ぶ直線とがなす角度、θ２：第１カメラ部１７と第２カメラ部２７とを結ぶ直線と第２カメラ部２７と被写体１０とを結ぶ直線とがなす角度）
そして、距離測定モードでは、第１表示パネル１１に、距離測定プログラムによる測定結果が表示されるとともに、焦点の設定動作を指示する指示ボタン２４（図２参照）が表示され、これが押されることで算出された距離に応じて公知の方法に従って焦点が定められる。
【００３０】
なお、制御部７は、待機姿勢でも、電話やメールの着信通知や、時計、タイマー等に関する制御を行えるようになっている。
【００３１】
［携帯電話機の動作］
次に、携帯電話機１の動作の一例について説明する。
【００３２】
この携帯電話機１において、電話、メール機能等を利用する場合は、第１筐体３及び第２筐体５を開いて第２使用姿勢にする。すると、通常モードによる制御が行われ、電話、メール機能や、従来と同様のカメラ機能を利用することができる。このとき、第２表示パネル２１には、操作画面２２が表示され、ユーザは、相手先の電話番号の入力やメールの作成をしたり、オートフォーカス機能による距離測定を行うことができる。測定された距離は、第１表示パネル１１に表示されるともに、メモリに保持させることができる。
【００３３】
一方、距離測定モードを利用する場合は、第１及び第２筐体３，５を第２使用姿勢からさらに開いて第１使用姿勢にする。すると、距離測定モードに切り替わり、カメラ部１７により撮影された画像が、第１及び第２表示パネル２１にそれぞれ表示され、ポインタ３３，３５が表示される。そして、ジョグダイヤル１９，２０，２９，３０を操作して各画面上で各ポインタ３３，３５を被写体１０に合わせ、操作ボタン２８を押すと、２つの角度θ１及びθ２が確定されるとともに２つのカメラ部１７，２７間の距離ｄの値が呼び出され、上記式に従って被写体１０までの距離Ｄが算出される。算出結果は第１表示パネル１１に表示される。また、ここで求められた距離Ｄはメモリに保持させることができるとともに、第１表示パネル１１に表示された指示ボタン２４を押すことで、距離Ｄに応じた焦点が定められる。
【００３４】
そして、再度第２使用姿勢にして通常モードにすると、先に通常モードで求めた距離と、距離測定モードで求めた距離との平均値を算出することができる。ここでの算出結果も、第１表示パネル１１に表示されるともに、メモリに保持させることができる。
【００３５】
以上の携帯電話機１によれば、２つの筐体３，５それぞれにカメラ部１７，２７が設けられていることから、上記式に従って被写体１０までの距離を算出することが可能となる。したがって、ここでは、簡単な計算により被写体１０までの距離を算出することができ、従来のように例えば１つのカメラ部のオートフォーカス機能により距離を測定するのとは異なった方法により被写体までの距離を求めることができる。そして、測定結果は表示パネルに表示されるので、ユーザは、被写体１０までの距離を容易に知ることができる。
［他の実施形態］
（ａ）携帯電話機は、３種以上の使用姿勢を採って使用姿勢ごとに異なる制御が行われるよう構成されても良い。また、各使用姿勢の角度は、上記実施形態で説明したものに限定されない。
【００３６】
（ｂ）上記実施形態において、操作画面は、第２表示パネルに代えて第１表示パネルに表示されても良く、また、２つの表示部に跨って表示されても良い。
【００３７】
（ｃ）上記距離測定モードにおいて、ポインタを動かして被写体に合わせる構成に代えて、例えば、各パネルの中央に印を固定的に表示し、ジョグダイヤルを操作するとパネルに表示される画像自体が動くように構成し、被写体を印に合わせるといった他の手段が採用されても良い。
【００３８】
（ｄ）携帯電話機は、折り畳み式のもののみでなく、リボルバー式であっても良く、或いは、これらの複合型であっても良い。
【００３９】
（ｅ）本発明は、２種以上の姿勢を採り得る２つの筐体を備えた通信端末機器であれば適用可能であり、携帯電話機のほか、ＰＤＡ（携帯情報端末）、モバイルコンピュータ等の他の通信端末機器にも適用可能である。
【図面の簡単な説明】
【００４０】
【図１】本発明の一実施形態が採用された携帯電話機の構成を模式的に示すブロック図。
【図２】第１使用姿勢にある前記携帯電話機を示す斜視図。
【図３】第２使用姿勢にある前記携帯電話機を示す斜視図。
【図４】前記携帯電話機による距離測定動作を概念的に示す上面図。
【図５】図２の携帯電話機を示す平面図。
【図６】図２の携帯電話機を示す背面図。
【符号の説明】
【００４１】
１  携帯電話機
３  第１筐体
５  第２筐体
７  制御部
１１  第１表示パネル
２１  第２表示パネル
【図１】
2005260884.tif 000003
【図２】
2005260884.tif 000004
【図３】
2005260884.tif 000005
【図４】
2005260884.tif 000006
【図５】
2005260884.tif 000007
【図６】
2005260884.tif 000008